(57)【要約】【課題】スライドピンを容易に取り外せる収納体のサイドロック装置の提供。【解決手段】支持体に収納体を開閉可能に取り付けて、該収納体側に左右一対のスライドピン３を移動可能に保持すると共に、該左右の各スライドピンを付勢ばね圧５で支持体側に形成されたロック孔方向ヘ付勢して、操作ハンドル１の揺動操作で、上記左右の各スライドピンの先端部を支持体側のロック孔から付勢ばね圧に抗して後退させるように構成したサイドロック装置において、上記収納体側にスライドピンの後端部を内嵌してその進退動を促すカム部材４を設けて、該カム部材の先端筒状部の対向する面に係止孔１５を設ける一方、スライドピンの後端部側を二叉状の弾性片構造となして、該各弾性片１１に上記係止孔に係脱可能に係止する突起１２を設けることにより、スライドピンをカム部材に対して回転させるだけで、その弾性片の突起がカム部材側の係止孔から外れる。【選択図】          図１
2004156331.tif 000002
【特許請求の範囲】
【請求項１】
支持体に収納体を開閉可能に取り付けて、該収納体側に左右一対のスライドピンを移動可能に保持すると共に、該左右の各スライドピンを付勢ばね圧で支持体側に形成されたロック孔方向ヘ付勢して、操作ハンドルの揺動操作で、上記左右の各スライドピンの先端部を支持体側のロック孔から付勢ばね圧に抗して後退させるように構成したサイドロック装置において、上記収納体側にスライドピンの後端部を内嵌してその進退動を促すカム部材を設けて、該カム部材の先端筒状部の対向する面に係止孔を設ける一方、スライドピンの後端部側を二叉状の弾性片構造となして、該各弾性片に上記係止孔に係脱可能に係止する突起を設けたことを特徴とするサイドロック装置。
【請求項２】
スライドピンの後端部をカム部材に振幅可能に連結したことを特徴とする請求項１記載のサイドロック装置。
【請求項３】
スライドピンの弾性片の間にストッパー片を設け、カム部材の該ストッパー片と対応する面にストッパー片に弾接する弾接片を設けたことを特徴とする請求項１乃至請求項２のいずれかに記載のサイドロック装置。
【請求項４】
カム部材の弾接片と対向する側面内側に誤組み付け防止用のリブ壁を形成したことを特徴とする請求項３記載のサイドロック装置。
【発明の詳細な説明】
【０００１】
【発明の属する技術分野】
本発明は、例えば、自動車のインストルメントパネル側に開閉可能に取り付けられるグローブボックスの如き、収納体のサイドロック装置の改良に関するものである。
【０００２】
【従来の技術】
従来のこの種サイドロック装置は、具体的には図示しないが、グローブボックス側に設けられるハウジング内に左右一対のリンクレバーを回転可能に軸支して、該左右の各リンクレバーの上端部側にインストルメントパネルに形成されたロック孔を出入する一対のスライドピンを固定すると共に、左右の各リンクレバーの下端部間に上記左右の各スライドピンを常時ロック孔内に係入する方向へ付勢する引張コイルばねを装着する構成となっている（例えば、特許文献１参照）。
【０００３】
そして、グローブボックスの閉塞状態にあっては、左右の各リンクレバーの上端部に固定されているスライドピンの先端部がインストルメントパネル側の対応する左右のロック孔内に係入して、グローブボックスをその閉塞位置にロックすることとなるが、このロック状態を解除してグローブボックスを開放する場合には、操作ハンドルの揺動操作で、左右一対のリンクレバーの中間部に対向して設けられている各突出腕を上記引張コイルばねの付勢ばね圧に抗して押し下げると、左右の各リンクレバーが付勢方向とは逆方向に回転して、スライドピンの先端部をロック孔から後退させるので、これにより、グローブボックスを開放方向へ移動させることが可能となる。
【０００４】
【特許文献１】
特開平４−６００７９号公報
【０００５】
【発明が解決しようとする課題】
従って、従来のサイドロック装置にあっては、グローブボックスの両サイドにおいて、そのロック状態とロック解除状態が簡単に得られる利点はあるが、反面、左右一対のスライドピンは対応するリンクレバー側に固定されている関係で、例えば、グローブボックス自体が破損したような場合には、スライドピンをリンクレバーから容易に取り外すことができないため、スライドピンを再利用することができないことは勿論であるが、これに起因して、リンクレバーを内蔵するハウジングや操作ハンドルもグローブボックス側から取り外すこともできないため、同様に、再利用することができなかった。特に、ハウジングや操作ハンドルの近傍にはシリンダー錠が設けられているので、これを再利用する場合には、ハウジングや操作ハンドルをも壊す必要があった。
【０００６】
【課題を解決するための手段】
本発明は、斯かる従来のサイドロック装置が抱える課題を有効に解決するために開発されたもので、請求項１記載の発明は、支持体に収納体を開閉可能に取り付けて、該収納体側に左右一対のスライドピンを移動可能に保持すると共に、該左右の各スライドピンを付勢ばね圧で支持体側に形成されたロック孔方向ヘ付勢して、操作ハンドルの揺動操作で、上記左右の各スライドピンの先端部を支持体側のロック孔から付勢ばね圧に抗して後退させるように構成したサイドロック装置において、上記収納体側にスライドピンの後端部を内嵌してその進退動を促すカム部材を設けて、該カム部材の先端筒状部の対向する面に係止孔を設ける一方、スライドピンの後端部側を二叉状の弾性片構造となして、該各弾性片に上記係止孔に係脱可能に係止する突起を設ける構成を採用した。
【０００７】
請求項２記載の発明は、請求項１を前提として、スライドピンの後端部をカム部材に振幅可能に連結する構成を採用した。
【０００８】
請求項３記載の発明は、請求項１乃至請求項２を前提として、スライドピンの弾性片の間にストッパー片を設け、カム部材の該ストッパー片と対応する面にストッパー片に弾接する弾接片を設ける構成を採用した。
【０００９】
請求項４記載の発明は、請求項３を前提として、カム部材の弾接片と対向する側面内側に誤組み付け防止用のリブ壁を形成する構成を採用した。
【００１０】
依って、請求項１記載の発明にあっては、グローブボックスの如き収納体が破損したとしても、スライドピンをカム部材に対して回転させるだけで、その弾性片の突起がカム部材側の係止孔から外れるので、後は、カム部材から引き抜けば、スライドピンの再利用が可能となることは勿論であるが、これに起因して、スライドピンの進退動を促すカム部材をも収納体から取り外せるので、カム部材を含む駆動機構も再利用することが可能となる。又、スライドピンを容易に取り外せることは、メンテナンスの面でも良好となる。
【００１１】
請求項２記載の発明にあっては、スライドピンが振幅可能に連結されていることにより、組み付けの際、収納体の形状や収納体の孔位置に十分に対応できると共に、収納体の前壁側がアウター材とインナー材で構成されているような場合には、両材の溶接も簡単に行なえることとなる。請求項３記載の発明にあっては、スライドピンのストッパー片にカム部材の弾接片が弾接することにより、スライドピンのガタツキを防止できる。請求項４記載の発明にあっては、誤組み付け防止用のリブ壁が存在することにより、左右一対のスライドピンのカム部材に対する誤組み付けが防止できる。
【００１２】
【発明の実施の形態】
以下、本発明を図示する好適な実施の形態に基づいて詳述すれば、該実施の形態に係るサイドロック装置も、自動車のインストルメントパネルに開閉可能に取り付けられるグローブボックスを対象とするもので、そのボックス本体はインストルメントパネルの空所に回動可能に軸支されることを前提とする。
【００１３】
そして、本実施の形態に係るサイドロック装置は、図１に示す如く、上記グローブボックス本体の前壁に画成される凹部内に揺動可能に支持される操作ハンドル１と、該操作ハンドル１を当該凹部内に延出する取付壁にネジ止めする支持枠２と、左右一対のスライドピン３と、該左右の各スライドピン３の進退動を促す左右一対のカム部材４と、左右の各スライドピン３をインストルメントパネル側に形成されたロック孔方向に付勢する２本の圧縮コイルばね５を備える構成となっている。
【００１４】
上記操作ハンドル１は、図２にも示す如く、その背面側にスライドピン３と圧縮コイルばね５を左右で個々に収納する一対の円筒部６を一体に形成して、該各円筒部６の対向する内面に後述するカム部材４のカム溝１８内を移動する一対の凸部７を突設する構成となっている。支持枠２は、その背面側に複数のネジ孔８を形成すると共に、両側縁に上記円筒部６方向に折曲する折曲壁９を延設して、該各折曲壁９の中央部にカム部材４の先端側の出没を許容する開口１０を形成する構成となっている。
【００１５】
又、左右一対のスライドピン３は、勝手違いに成形されるものであるが、基本的には、図３にも示す如く、その後端部を二叉状の弾性片１１構造となして、該各弾性片１１の外面に後述するカム部材４の係止孔１５に係脱可能に係止する突起１２を形成すると共に、各弾性片１１の間に後述するカム部材４の弾接片１６を弾接するストッパー片１３を一定量偏位させて設ける構成となっている。
【００１６】
更に、カム部材４は、左右対称に成形されるものであるが、基本的には、図４にも示す如く、そのフランジ部１４を境とする先端側を角筒状に形成し、後端側を円筒状に形成して、前者の角筒状先端部４ａに対しては、その上下側面に上記スライドピン３の突起１２を係脱可能に係止する係止孔１５を形成すると共に、他で対向する一側面に上記ストッパー片１３に弾接する弾接片１６を形成すると共に、他側面の内側に誤組み付け防止用のリブ壁１７を形成する構成となっている。
【００１７】
又、後者の円筒状後端部４ｂに対しては、その外周に同形状を呈する一対のカム溝１８を形成して、上記円筒部６の内面に突設された凸部７を当該カム溝１８の溝縁に沿って移動させることにより、操作ハンドル１の揺動操作に応じて、円筒部６内でカム部材４自体を進退動させる構成となっている。尚、カム溝１８は、凸部７をカム溝１８内に誘導する誘導部１８ａとカム部材４を円筒部６内に引き込ませた位置にロックするロック部１８ｂを積極的に有するものとする。
【００１８】
依って、斯かる構成のサイドロック装置を組み付ける場合には、まず、操作ハンドル１側の各円筒部６内に左右の圧縮コイルばね５とカム部材４とを個々に収納することとなるが、この場合には、カム部材４の円筒状後端部４ｂの外周に形成されている一対のカム溝１８の誘導部１８ａ内に対応する凸部７を臨ませながら、カム部材４の円筒状後端部４ｂを円筒部６内に押し込んで所定方向に回転して、当該凸部７をカム溝１８内に係入させれば、左右の各カム部材４は、図５に示す如く、各圧縮コイルばね５のばね圧で、その角筒状先端部４ａを外部に突出させた状態に付勢されることとなる。
【００１９】
次いで、今度は、この状態にある操作ハンドル１に支持枠２を組み付けることとなるが、この場合には、各カム部材４を回転させながら押し込んで、カム溝１８に係入している凸部７を圧縮コイルばね５のばね圧に抗してカム溝１８のロック部１８ｂに移行させれば、図６に示す如く、カム部材４全体が円筒部６内に略収納されることとなるので、後は、図７に示す如く、斯かる収納状態を利用して、支持枠２を操作ハンドル１の背面側に被嵌し、且つ、カム部材４を元の状態に復帰させて、該各カム部材４の角筒状先端部４ａに左右の各スライドピン３の後端部を内嵌すれば、これにより、サイドロック装置が組み立てられることとなる。この時には、誤組み付け防止用のリブ壁１７にストッパー片１３が当たって嵌入することができないので、左右のスライドピン３が誤って組み付けられることがない。
【００２０】
尚、斯かる状態にあっては、スライドピン３の後端部をカム部材４の角筒状先端部４ａに内嵌すると、スライドピン３の二叉状の弾性片１１に設けられている突起１２が係止孔１５に係止するので、その抜け外れが防止されると同時に、スライドピン３がカム部材４に対して振幅可能に連結されることとなる。又、この状態にあっては、カム部材４側の弾接片１６が弾性片１１の間に設けられたストッパー片１３に弾接するので、振幅可能ではあるが、そのガタツキを有効に防止することとなる。
【００２１】
従って、後は、各スライドピン３の先端部をグローブボックス本体（図示せず）の側面に形成されている通孔（図示せず）に通しながら、インストルメントパネルの凹部内に延出する取付壁に支持枠２をネジ止めすれば、当該凹部側に操作ハンドル１が揺動可能に支持されることとなるので、これにより、実際の使用に供せられることとなるが、操作ハンドル１を揺動操作させない状態にあっては、図８に示す如く、左右一対のスライドピン３が付勢ばね圧で伸長して、インストルメントパネルＰのロック孔Ｈに係入しているので、これにより、グローブボックス本体が閉塞状態にロックされることとなる。
【００２２】
又、斯かるロック状態を解除する場合には、操作ハンドル１を把持して引き上げると、円筒部６内の凸部７が対応するカム溝１８の溝縁に沿って移動して、カム部材４を円筒部６内に引き込ませるので、図９に示す如く、各スライドピン３の先端部がインストルメントパネルＰのロック孔Ｈから後退して、グローブボックス本体が開放方向へ回動することが許容されることとなる。
【００２３】
そして、斯かる使用状態において、グローブボックス本体が破損したとしても、図１０に示す如く、スライドピン３をカム部材４に対して回転させるだけで、その弾性片１１の突起１２がカム部材４側の係止孔１５から外れるので、後は、カム部材４から引き抜けば、スライドピン３の再利用が可能となることは勿論であるが、これに起因して、支持枠２の取付壁に対するネジ止めを解けば、スライドピン３の進退動を促すカム部材４をもグローブボックス本体から取り外せるので、カム部材４をも再利用することが可能となる。又、スライドピン３を容易に取り外せることは、メンテナンスの面でも良好となるし、操作ハンドル１や支持枠２の近傍に設けられているシリンダー錠を再利用する場合にも、操作ハンドル１や支持枠２を壊す必要もなくなる。
【００２４】
【発明の効果】
以上の如く、本発明は、上記構成の採用により、グローブボックスの如き収納体が破損したとしても、スライドピンをカム部材に対して回転させるだけで、その弾性片の突起がカム部材側の係止孔から外れるので、後は、カム部材から引き抜けば、スライドピンの再利用が可能となることは勿論であるが、これに起因して、スライドピンの進退動を促すカム部材をも収納体から取り外せるので、カム部材を含む駆動機構も再利用することが可能となる。又、スライドピンを容易に取り外せることは、メンテナンスの面でも良好となる。
【図面の簡単な説明】
【図１】本発明の実施の形態に係るサイドロック装置を分解して示す斜視図である。
【図２】操作ハンドルの断面図である。
【図３】（Ａ）はスライドピンの後端部側の構造を示す要部拡大正面図、（Ｂ）は同側面図である。
【図４】（Ａ）はカム部材の正面図、（Ｂ）はカム部材の平面図、（Ｃ）はカム部材の背面図、（Ｄ）は図４ＡのＡ−Ａ線断面図、（Ｅ）は図４ＣのＢ−Ｂ線断面図である。
【図５】操作ハンドルの円筒部にカム部材を収納して圧縮コイルばねで角筒状先端部が外方に突出している状態を一部切欠して示す背面図である。
【図６】操作ハンドルの円筒部にカム部材を圧縮コイルばねのばね圧に抗して引き込ませた状態を一部切欠して示す背面図である。
【図７】サイドロック装置を組み立てた状態を示す斜視図である。
【図８】スライドピンの先端部がインストルメントパネルのロック孔に係入した状態を示す平面図である。
【図９】スライドピンの先端部がインストルメントパネルのロック孔から後退した状態を示す平面図である。
【図１０】（Ａ）はスライドピンの突起がカム部材の係止孔に係止した状態を示す説明図、（Ｂ）はスライドピンを回転してその突起をカム部材の係止孔から外した状態を示す説明図である。
【符号の説明】
１      操作ハンドル
２      支持枠
３      スライドピン
４      カム部材
４ａ    角筒状先端部
４ｂ    円筒状後端部
５      圧縮コイルばね
６      円筒部
７      凸部
８      ネジ孔
９      折曲壁
１０    開口
１１    弾性片
１２    突起
１３    ストッパー片
１４    フランジ部
１５    係止孔
１６    弾接片
１７    リブ壁
１８    カム溝
１８ａ  誘導部
１８ｂ  ロック部
Ｐ      インストルメントパネル
Ｈ      ロック孔
【図１】
2004156331.tif 000003
【図２】
2004156331.tif 000004
【図３】
2004156331.tif 000005
【図４】
2004156331.tif 000006
【図５】
2004156331.tif 000007
【図６】
2004156331.tif 000008
【図７】
2004156331.tif 000009
【図８】
2004156331.tif 000010
【図９】
2004156331.tif 000011
【図１０】
2004156331.tif 000012